(57)【要約】【課題】音響機能を備えるキッチン設備の音響特性の向上、特に低音成分の増強を図る。【解決手段】音声発生器２０を流し台１の背板７と仕切り部材８との間の配管収納室１２に配置し音源室と成す。仕切り部材８下部に連通口１３を形成し、配管収納室１２と底部室１４とを連通させる。蹴込み板１５にはダクト１６を設ける。音声発生器１０で発生させた音響は、音源室（配管収納室１２）から底部室１４を経由しダクト１６を通じて外部へ放射する。配管収納室１２と底部室１４とを合わせた容積がエンクロージャ容積となるから、大音量再生に適しており、バスレフ効果で豊かな低音再生が実現できる。収納室４の扉１７に取着した音声発生器２０Ａを中高音用、配管収納室１２の音声発生器２０を低音用とすることにより高音質の再生音を得ることができる。扉１７の左右に音声発生器２０Ａ，２０Ａを配置し、ステレオ効果を発揮させることも可能である。【選択図】      図１
2006129930.tif 000002
【特許請求の範囲】
【請求項１】
キャビネット等のキッチンユニットより成るキッチン設備において、前記キッチンユニットの内部が仕切り部材によって二つ以上の室空間に区画され、少なくともいずれか一つの室空間に音声発生器を設けて音源室と成し、前記仕切り部材に開口を形成して、前記音源室とこれに隣接する室空間とを連通させたことを特徴とする音響増幅機能付きキッチン設備。
【請求項２】
請求項１に記載するキッチンユニットにおいて、前記音源室と連通する室空間の構成部材に、外部と連通する開口を設けた音響増幅機能付きキッチン設備。
【請求項３】
前記音源室が、キッチンユニットの背板と当該背板の手前側に立設した仕切り部材とで囲まれた室空間に形成され、当該音源室と蹴込み部材の裏面側に形成された底部室とを区画する仕切り部材に両者を連通させる開口が形成され、前記蹴込み部材に底部室と外部とを連通させる開口を設けた請求項２に記載する音響増幅機能付きキッチン設備。
【請求項４】
請求項３に記載するキッチンユニットにおいて、収納室が、前記音源室を区画構成する仕切り部材の手前側に設けられ、当該収納室における正面側の構成部材に音声発生器が設けられ、当該音声発生器を中高音用とし、前記音源室に設けられる音声発生器を低音用とした音響増幅機能付きキッチン設備。
【請求項５】
キャビネット等のキッチンユニットの複数個を連接して成るキッチン設備において、少なくともいずれか一つのキッチンユニットの内部に音声発生器が設けられ、当該音声発生器を設けたキッチンユニット及び隣接するキッチンユニットそれぞれにおける隣接している構成部材に開口を形成して、前者のキッチンユニットにおける音声発生器を設けた室空間と後者の隣接キッチンユニット内の室空間とを連通させたことを特徴とする音響増幅機能付きキッチン設備。
【請求項６】
キャビネット等のキッチンユニットの複数個を連接して成るキッチン設備において、少なくともいずれか一つのキッチンユニットの内部に仕切り部材によって区画された二つ以上の室空間が形成され、いずれか一つの室空間に音声発生器を設けて音源室と成し、他の室空間の構成部材に外部と連通する開口を設け、前記音源室を設けたキッチンユニット及びこれに隣接するキッチンユニットそれぞれの隣接している構成部材に開口を形成して、前者のキッチンユニットにおける音源室と、外部と連通する開口を設けた室空間とを、後者の隣接キッチンユニット内の室空間を経由して連通させたことを特徴とする音響増幅機能付きキッチン設備。
【請求項７】
キャビネット等のキッチンユニットの複数個を連接して成るキッチン設備において、少なくともいずれか一つのキッチンユニットの内部に音声発生器が設けられ、当該音声発生器を設けたキッチンユニット及び隣接するキッチンユニットそれぞれの隣接している構成部材に開口を形成して、前者のキッチンユニットにおける音声発生器を設けた室空間と後者の隣接キッチンユニット内の室空間とを連通させ、後者のキッチンユニットにおける前記室空間の構成部材に外部と連通する開口を形成したことを特徴とする音響増幅機能付きキッチン設備。
【請求項８】
前記音声発生器が設けられる室空間は、キッチンユニットにおける背板と当該背板の手前側に立設した仕切り部材とで囲まれた室空間である請求項５〜７のいずれかに記載する音響増幅機能付きキッチン設備。
【請求項９】
外部と連通させる開口が設けられる前記室空間は、蹴込み部材の裏面側に形成される底部室である請求項６〜８のいずれかに記載する音響増幅機能付きキッチン設備。
【発明の詳細な説明】
【技術分野】
【０００１】
本発明は、キッチンキャビネット等のキッチンユニットで構成されるキッチン設備に関し、詳しくは、キッチンユニットに音声発生器を設けてスピーカー不要の音響設備を構築する場合において、低音成分の増強を図ることを目的とする。
【背景技術】
【０００２】
システムキッチン等のキッチン設備に音響装置を設けることが特許文献１に記載されている。同特許文献１に記載されるキッチン設備は、キッチンキャビネットの蹴込み板にスピーカーを取り付けたものであり、これにより、キッチンで気軽に音楽観賞などができるとされている。また、蹴込み板にダクトを設けてバスレフ構造とし、低音成分の増強を図ることも記載されている。
【特許文献１】特開２００３−８８４３３公報
【発明の開示】
【発明が解決しようとする課題】
【０００３】
キッチンキャビネット等の蹴込み板にスピーカーを取り付けた場合、蹴込み板裏面側の室空間がスピーカーのエンクロージャとして機能するが、この室空間の容積が比較的小さいため、大音量の再生には不向きであり、特に低音成分の再生には難点があった。仮にスピーカーユニットに高出力の製品を採用したとしても、エンクロージャの容積が小さい場合は、再生音の音質や音響特性を高めることが難しい。また、蹴込み板にダクトを設けてバスレフ構造とした場合でも、充分な距離の音道を確保することができないため、やはり低音成分の再生能力に不満があった。
【０００４】
また従来のキッチン設備は、各キッチンユニットが独立しているため、音響を発生させたい位置のユニットにスピーカーを取り付ける必要がある。すなわち、スピーカーを取り付けていないキッチンユニットから音響を発生させることはできなかった。
【課題を解決するための手段】
【０００５】
本発明は、大音量の再生に適しており、しかも低音成分の再生能力に優れた音響機能を備えるキッチン設備の提供を目的とする。かかる目的達成のため本発明が採用した音響増幅機能付きキッチン設備の特徴とするところは、請求項１に記載の如く、キッチン設備を構成するキャビネット等のキッチンユニットの内部を、仕切り部材によって二つ以上の室空間に区画し、少なくともいずれか一つの室空間に音声発生器を設けて音源室と成し、前記仕切り部材に開口を形成して、前記音源室とこれに隣接する室空間とを連通させたことにある。
【０００６】
前記においてキッチンユニットとは、ベースキャビネットやアッパーキャビネット等のキッチンキャビネットのほか、レンジ台・流し台・調理台・食器洗浄機台などである。
【０００７】
音声発生器には、いわゆるスピーカーユニットのほか、アクチュエータ・エキサイターと呼ばれる振動素子も使用される。アクチュエータには、超磁歪素子や圧電素子を用いるものがある。超磁歪アクチュエータの一例としては、電磁コイルで生じる磁界変化で超磁歪ロッドを伸縮させる構造が挙げられる。これは、ケーシング内に、電磁コイルと、超磁歪素子で製作したロッドと、超磁歪ロッドに圧縮方向の付勢力を付与するスプリングと、超磁歪ロッドにバイアス磁界を付与する磁石とが収納され、電磁コイルに入力した音声信号に基づく磁界変化により超磁歪ロッドを伸縮させ、その変位で板状部材を振動させ音波を発生させるものである。
【０００８】
また、エキサイターと呼ばれる振動素子は、ボイスコイルを利用するものであって、ボビン部に巻装したボイスコイルと、ボイスコイルとの間で磁気ギャップを形成する磁気回路とを備え、ボイスコイルに入力した音声信号に基づき、ボイスコイルを振動させることにより、これと連動してボビンをピストン運動させ、その結果、ボビンに当接させた板状部材を振動させて音を再生するものである。なお磁気回路としては、外磁型と、内磁気型とがある。
【０００９】
本発明に係る前記キッチン設備において、請求項２に記載の如く、キッチンユニットにおける前記音源室と連通する室空間の構成部材に、外部と連通する開口を設けてもよい。
【００１０】
なお前記音源室については、請求項３に記載の如く、キッチンユニットの背板と当該背板の手前側に立設した仕切り部材とで囲まれた室空間に形成するものとし、当該音源室と蹴込み部材の裏面側に形成された底部室とを区画する仕切り部材に両者を連通させる開口を形成し、前記蹴込み部材に底部室と外部とを連通させる開口を設ける構成を採用することが可能である。
【００１１】
さらに前記キッチンユニットが、請求項４に記載の如く、収納室を、前記音源室を区画構成する仕切り部材の手前側に設けたものである場合、当該収納室における正面側の構成部材に音声発生器を設け、当該音声発生器を中高音用とし、前記音源室に設けられる音声発生器を低音用とする構成が考えられる。
【００１２】
ところでキッチン設備は、キャビネット等のキッチンユニットの複数個を連接して構成されることが多く、本発明はこのようなキッチン設備に対しても適用される。すなわち本発明は、請求項５に記載の如く、キッチンユニットの複数個を連接して成るキッチン設備において、少なくともいずれか一つのキッチンユニットの内部に音声発生器を設け、当該音声発生器を設けたキッチンユニット及び隣接するキッチンユニットそれぞれにおける隣接している構成部材に開口を形成して、前者のキッチンユニットにおける音声発生器を設けた室空間と後者の隣接キッチンユニット内の室空間とを連通させることを特徴とする音響増幅機能付きキッチン設備を提供する。
【００１３】
さらに本発明は、請求項６に記載の如く、キッチンユニットの複数個を連接して成るキッチン設備において、少なくともいずれか一つのキッチンユニットの内部に仕切り部材によって区画された二つ以上の室空間が形成され、いずれか一つの室空間に音声発生器を設けて音源室と成し、他の室空間の構成部材に外部と連通する開口を設け、前記音源室を設けたキッチンユニット及びこれに隣接するキッチンユニットそれぞれの隣接している構成部材に開口を形成して、前者のキッチンユニットにおける音源室と、外部と連通する開口を設けた室空間とを、後者の隣接キッチンユニット内の室空間を経由して連通させたことを特徴とする音響増幅機能付きキッチン設備を提供する。
【００１４】
なお本発明は、キッチン設備が複数のキッチンユニットから成る場合において、音声発生器を取り付けたキッチンユニットとは異なるキッチンユニットから音響を発生させることを可能にする手段を提供する。すなわち本発明は、請求項７に記載の如く、キッチンユニットの複数個を連接して成るキッチン設備において、少なくともいずれか一つのキッチンユニットの内部に音声発生器が設けられ、当該音声発生器を設けたキッチンユニット及び隣接するキッチンユニットそれぞれの隣接している構成部材に開口を形成して、前者のキッチンユニットにおける音声発生器を設けた室空間と後者の隣接キッチンユニット内の室空間とを連通させ、後者のキッチンユニットにおける前記室空間の構成部材に外部と連通する開口を形成したことを特徴とする音響増幅機能付きキッチン設備を提供する。
【００１５】
前述のキッチン設備において、音声発生器が設けられる室空間は、請求項８に記載の如く、キッチンユニットにおける背板と当該背板の手前側に立設した仕切り部材とで囲まれた室空間とすることができる。
【００１６】
また前述のキッチン設備において、外部と連通させる開口が設けられる室空間は、請求項９に記載の如く、蹴込み部材の裏面側に形成される底部室とすることができる。
【発明の効果】
【００１７】
請求項１に記載した音響機能付きキッチン設備は、キッチンユニットの内部に設けた音源室と、これに隣接する室空間とを連通させたので、隣接する室空間を共鳴室として利用することが可能である。すなわち、例えばキッチンキャビネットにおいて、収納室との取り合い関係により、音源室の容積を小さくせざるを得ないときでも、隣接する室空間を連通させることにより、容積の大きいエンクロージャが得られる。音声発生器への入力を大きくして音声出力レベルを上げることはできるが、エンクロージャの容積が小さい場合、中高音のレベルだけ上昇し、低音成分のレベルが増大することはなく、その結果、通常は音質が低下する。本発明ではエンクロージャが大きいので、音量を大きくしても音質が低下することのない音響設備をキッチンに提供できる。依って、台所作業を行いながら、豊かな音量で且つ良質な音声で、音楽鑑賞などを楽しむことが可能になる。
【００１８】
請求項２に記載の本発明によれば、音源室と連通する室空間の構成部材に外部と連通する開口を設けたので、この連通する室空間が共鳴室として機能することにより、上記開口から外部へ低音成分を増強させた音響を放射することができる。
【００１９】
請求項３に記載の本発明によれば、キッチンユニットの背板と当該背板の手前側に立設した仕切り部材とで囲まれた配管用の室空間を音源室として利用できるから、音源室を新たに形成する必要がない。また、音源室と、蹴込み部材裏面側の底部室とを連通させ、底部室に外部と連通する開口を設けたので、従来ほとんど利用されることのない底部室を、低音の共鳴室として有効に利用することができ、上記開口から低音成分を増強させた音響を放射することができる。
【００２０】
請求項４に記載した本発明によれば、収納室に中高音用の音声発生器を設け、音源室に低音用の音声発生器を設けたので、再生周波数帯域が広くなり、高音質の音響を提供することが可能となる。
【００２１】
請求項５に記載した本発明は、キッチンユニットの複数個を連接して成るキッチン設備において、いずれか一つのキッチンユニットに音声発生器を設け、隣接するキッチンユニットの室空間と連通させたので、隣接する二つのキッチンユニットの室空間を一体のエンクロージャとして利用することが可能である。すなわち、容積の大きいエンクロージャが得られるから、大音量再生及び低音再生に適した音響設備を提供することができる。
【００２２】
請求項６に記載した本発明によれば、キッチンユニットの複数個を連接して成るキッチン設備において、いずれか一つのキッチンユニットに設けた音源室と、外部と連通する開口とを、隣接するキッチンユニット内の室空間を経由して連通させたので、音源（音声発生器）から開口までの音道距離を非常に長くすることが可能である。従って、共鳴周波数を低くできるから、低音再生能力に優れた音響設備を提供できる。
【００２３】
請求項７に記載した本発明によれば、キッチンユニットの複数個を連接して成るキッチン設備において、音声発生器を設けたキッチンユニットの室空間と、開口を設けたキッチンユニット内の室空間とを連通させたので、音声発生器を配置したキッチンユニットとは異なるキッチンユニットから、音響を発生させることができる。従って、音声発生器を配置したキッチンユニットの位置が音楽等を聴取するうえで不適切な場合に、音響発生位置を適切な位置へ変更できる。また、音源（音声発生器）から開口に至るまでの音道距離を長くできるので、低音再生能力に優れた音響設備を提供できる。
【００２４】
請求項８に記載した本発明によれば、音声発生器を設ける室空間を、キッチンユニットにおける背板と当該背板の手前側に立設した仕切り部材とで囲まれた室空間とするから、配管室を音源室として利用することができ、従って、音源室を新たに形成する必要がないから、キッチンユニットの製作上、負担をあまり増大させることがない。
【００２５】
請求項９に記載した本発明によれば、外部と連通させる開口を蹴込み部材の裏面側の底部室に形成するから、従来活用されていなかった空間部分の有効利用を図れる。
【発明を実施するための最良の形態】
【００２６】
［第１の実施形態］
図１は、本発明の一実施形態に関するものであって、台所に設置されるキッチン設備Ｋの一例を示すものである。同キッチン設備Ｋを構成するキッチンユニットとしては、キッチンキャビネット・レンジ台・調理台等が挙げられるが、ここでは、流し台１に音声発生器を設けて音響機能を持たせたものを例示する。
【００２７】
本例の流し台１は、リビングルームやダイニングルーム等の居室と台所との境界に配置されて対面式キッチンを構成するのに用いられ、図１（Ｂ）に示す如く、台所に面する側にシンク２・水栓器具３・収納部４・引き出し５が備えられ、リビングルームに面する側に収納棚６を設けてある。
【００２８】
本例では、音声発生器２０を、流し台１における背板７とその前に立設した仕切り部材８との間に形成した配管Ｐの収納室１２に配置し、当該配管収納室１２を音源室と成している。また、前記仕切り部材８に形成した点検口９へ着脱可能に装着される蓋部材１１に音声発生器２０を取り付け、必要に応じ、音声発生器２０のメンテナンスが簡単にできるよう構成した。さらに、仕切り部材８の下部に連通口１３を形成して、前記音源室（配管収納室１２）と、収納部４の底面を形成する底板１０と蹴込み板１５とで囲まれた底部室１４とを連通させると共に、蹴込み板１５にダクト１６を設けて、底部室１４を外気に連通させた。
【００２９】
音声発生器２０はスピーカユニット・アクチュエータ・エキサイター（励振器）等の振動素子を用いて構成される。図２に、一例として、ボイスコイル２４を利用するエキサイターを例示する。同図（Ａ）に示す如く、エキサイターは、先端側に出力部２１を有するボビン２２、ボビン２２の外周面に巻装したボイスコイル２４、ボイスコイル２４との間で磁気ギャップを形成するように配置されたヨーク２５、ボビン２２とヨーク２５とを弾性的に連結するダンパー２３、ヨーク２５の中央部に配置された磁石２６、この磁石２６が取り付けられボビン２２内に内嵌されたプレート２７、ボビン２２内においてこのプレート２７に配置されたキャンセルマグネット２８、及び、ボイスコイル２４用端子２９を備えており、蓋部材１１等の板状部材に固定した支持具３０へ、押圧具３１によって取り付けられる。
【００３０】
図２（Ｂ）に示す如く、押圧具３１は、板バネやコイルバネ等からなり、エキサイターの出力部２１を、板状部材（蓋部材１１）へ適度の押圧力で押圧するように設定されている。本例では、押圧具３１をバネ板材で製作し、同心円上に並列する複数の円弧状切欠き３２を開設して、隣接する切欠き３２，３２の間に設けた連結部３３，３３により弾性力を発揮するよう構成されている。なお当該エキサイターを、上述の如く支持具３０及び押圧具３１で弾性的に装着するのではなく、板状部材の表面に接着剤等で接着することも可能である。また、前記出力部２１は板状部材（１１）に当接させるが、所望により、板状部材１１と出力部２１との間に、木質，セラミック質等の音質調整具４０を配置することも可能である。
【００３１】
このように構成されたエキサイター２０は、ボイスコイル２４に音声信号が入力されると、それに基づいてボビン２２がピストン運動を起こし、ボビン先端の出力部２１が板状部材１１を振動させて音声を発生させる。
【００３２】
かかる構成により本例の流し台１は、音声発生器１０で発生させた音響を、音源室（配管収納室１２）から底部室１４を経由し、ダクト１６を通じて外部へ放射する。配管収納室１２と底部室１４とを合わせた容積がエンクロージャ容積となるから、大音量再生に適しており且つ音質の良い音響再生が可能である。また、音源（音声発生器２０）からダクト１６に至るまでの音道距離が長くなるから、バスレフ効果が得られ、よって豊かな低音再生が実現できる。なお本例では、既存の配管収納室１２と蹴込み板１５裏面側の底部室１４とを、音響用のエンクロージャとして有効利用するので、流し台１の構造にそれほど変更を加える必要がない。従って、従来製品を利用できるから製作が容易であり、製造コストの上昇を抑えることが可能である。
【００３３】
また、エキサイター等から成る音声発生器２０を、板状部材（蓋部材１１）に取着したことにより、スピーカーを設置することなく、音楽・音声等を台所へ発生させることができる。従って、台所にスピーカーを設置するだけの充分な容積が無い場合でも音響設備の提供が可能であり、またスピーカーを省略した分だけ、台所の有効利用できる空間を拡大できる。
【００３４】
ところで本実施形態では、図１に例示する如く、流し台１の収納室４を開閉する扉１７にも音声発生器２０Ａを取着し、当該音声発生器２０Ａを中高音用、音源室（配管収納室１２）の音声発生器２０を低音用とした。これにより、分解能・再現性に優れた高音質の再生音を得ることができる。さらに、扉１７の左右に、ある程度の距離を置いて音声発生器２０Ａ，２０Ａを配置し、それぞれから左チャンネルの音声・右チャンネルの音声を再生させることにより、ステレオ効果を発揮させて、臨場感に優れた再生音を得ることも可能である。なお、低音発生用のダクト１６は、開口のみとすることも可能である。
【００３５】
［第２の実施形態］
図３及び図４は、複数のキッチンユニットから成るキッチン設備Ｋに本発明を適用した実施形態を示すものであって、１つのキッチンユニットに配置した音声発生器２０で発生させた音響を、隣接するキッチンユニットを経由させて、上記キッチンユニットの開口から放射させるように構成したものである。
【００３６】
本例のキッチン設備Ｋは、左側から順に、流し台１Ａ，食洗機付き調理台１Ｂ，加熱調理機１Ｃを連接して構成される。図面の左端側に位置する流し台１Ａは、図４（Ａ）に示す如く、シンク２・水栓器具３・収納部４が備えられ、背面のリビングルーム等に面する側に収納棚６を設けてある。そして第１の音声発生器２０を、背板７の前に立設した仕切り部材８に形成した点検口９へ着脱可能に装着される蓋部材１１に取り付けて、背板７と仕切り部材８との間の配管収納室１２を音源室と成している。また、蹴込み板１５に開口１８を設けて、蹴込み板１５裏面側の底部室１４を外気と連通させている。
【００３７】
他方、図面の右端側に位置する加熱調理機１Ｃも同様に、図４（Ｃ）に示す如く、第１の音声発生器２０を背板７の前に立設した仕切り部材８の点検口９に装着した蓋部材１１に取り付け、背板７と仕切り部材８との間の室空間１２Ｃを音源室と成している。さらに蹴込み板１５に、底部室１４Ｃを外気と連通させる開口１８を設けてある。
【００３８】
中央の食洗機付き調理台１Ｂは、背板７と仕切り部材８との間の室空間及び底部室が、分割材１９によりそれぞれ左右に区画（１２Ａ，１２Ｂ１４Ａ，１４Ｂ）されている。さらに、仕切り部材８の下部に開口１３Ａ，１３Ｂを形成して、背板７と仕切り部材８との間の左右の室空間１２Ａ，１２Ｂをそれぞれ、底部室の左右部分１４Ａ，１４Ｂと連通させている。そして、流し台１Ａ及び加熱調理機１Ｃと、食洗機付き調理台１Ｂとの隣接している側板部分に開口５１，５２，５３，５４を形成する。
【００３９】
かかる構成により前述した各室空間は以下のように連通する。流し台１Ａにおける音声発生器２０を設けた配管収納室１２は、開口５１を通じて、食洗機付き調理台１Ｂにおける左側の室空間１２Ａと連通し、該室空間１２Ａは開口１３Ａを通じて左側の底部室１４Ａと連通し、さらにこの底部室１４Ａは開口５２を通じて、流し台１Ａの底部室１４と連通し、該底部室１４は開口１８を通じて外気と連通している。他方、加熱調理機１Ｃにおける音声発生器２０を設けた室空間１２Ｃは、開口５３を通じて、食洗機付き調理台１Ｂにおける右側の室空間１２Ｂと連通し、該室空間１２Ｂは開口１３Ｂを通じて右側の底部室１４Ｂと連通し、さらにこの底部室１４Ｂは開口５４を通じて、加熱調理機１Ｃの底部室１４Ｃと連通し、該底部室１４Ｃは開口１８を通じて外気と連通している。
【００４０】
本例のキッチン設備Ｋは、流し台１Ａの音声発生器２０で発生させた音響を、前述したとおり、配管収納室１２から、食洗機付き調理台１Ｂの室空間１２Ａ及び底部室１４Ａを経由して、当該流し台１Ａの底部室１４まで伝達させたのち、開口１８から外気へ放射する。すなわち、音源（音声発生器２０）から開口までの音道距離が非常に長いバックロードホーンと類似の構造を構築できるから、低音成分を増強させた音響を発生させることが可能である。
【００４１】
なお本実施形態にあっても、流し台１及び加熱調理機１Ｃの扉１７，１７に第２の音声発生器２０Ａを取着し、当該第２の音声発生器２０Ａを中高音用、前記第１の音声発生器２０を低音用とすることにより、高音質の再生音を得ることができる。さらに、再生する音響を左チャンネル・右チャンネルに振り分けてそれぞれを流し台１の音声発生器２０Ａ（２０）と加熱調理機１Ｃの音声発生器２０Ａ（２０）とから再生させることにより、ステレオ効果を発揮させることが可能である。
【００４２】
［第３の実施形態］
図５及び図６は、複数のキッチンユニットから成るキッチン設備Ｋにおいて、１つのキッチンユニットに配置した音声発生器２０で発生させた音響を、隣接するキッチンユニットから放射させるように構成したものである。
【００４３】
本例のキッチン設備Ｋは、左側から順に、流し台１Ａ，引き出し付きの調理台１Ｄ，加熱調理機１Ｃを連接して構成される。図面の左端側に位置する流し台１Ａは、シンク２・水栓器具３・収納部４と、背面のリビングルーム等に面する側の収納棚６とを備える。そして音声発生器２０Ａを、収納室４の前面を覆う前板部１７Ａに配置した。また、蹴込み板１５に開口１８を設けて、蹴込み板１５裏面側の底部室１４を外気と連通させている。
【００４４】
他方、図面の右端側に位置する加熱調理機１Ｃも同様に、音声発生器２０Ａが前扉１７Ｂに取り付けられ、蹴込み板１５に、底部室１４Ｃを外気と連通させる開口１８を設けてある。
【００４５】
中央の調理台１Ｄは、仕切り部材８の前側に形成される収納室４の上部に、区画材１０Ａによって区画された上部室空間が形成され、さらに当該上部室空間は分割材１９Ａによって左右の室空間４Ａ，４Ｂに区画されている。これら室空間４Ａ，４Ｂはいずれも、調理台１Ｂの前板部１７Ｄに形成した開口１８Ａ，１８Ｂによって、外気と連通している。他方、収納室４の下方に底板１０Ｂで区画形成された底部室は、分割材１９によって、さらに左右の室空間１４Ａ，１４Ｂに区画されている。そして、左右の室空間１４Ａ，１４Ｂそれぞれに臨むように、上記底板１０Ｂに音声発生器２０Ｂ，２０Ｂを配置した。この場合、底板１０Ｂに着脱可能な蓋部材を設け、この蓋部材に音声発生器２０Ｂを取り付ける構成としてもよい。
【００４６】
流し台１Ａ及び加熱調理機１Ｃと、調理台１Ｄとが互いに隣接している側板部分には、開口５２，５４，５５，５６を形成した。これにより流し台１Ａにおける音声発生器２０Ａを設けた収納室４は、開口５５を通じて、調理台１Ｄにおける左側の上部室空間４Ａと連通し、該上部室空間４Ａは開口１８Ａを通じて外気と連通する。他方、加熱調理機１Ｃにおける音声発生器２０Ａを設けた収納室４は、開口５６を通じて、調理台１Ｄにおける右側の上部室空間４Ｂに連通し、この上部室空間４Ｂは開口１８Ｂを通じて外気と連通している。
【００４７】
さらに、調理台１Ｄにおける音声発生器２０Ｂを配置した左側の底部室１４Ａは、開口５２を通じて、流し台１Ａの底部室１４と連通し、該底部室１４は開口１８を通じて外気と連通する。また、調理台１Ｄにおける音声発生器２０Ｂを配置した右側の底部室１４Ｂは、開口５４を通じて、加熱調理機１Ｃの底部室１４Ｃと連通し、該底部室１４Ｃは開口１８を通じて外気と連通する。
【００４８】
本例のキッチン設備Ｋは、流し台１Ａの音声発生器２０Ａで発生させた音響は、隣接する調理台１Ｂの上部室空間４Ａへ伝達され、開口１８Ａから外へ放射される。同様に、加熱調理機１Ｃの音声発生器２０Ａで発生させた音響は、隣接する調理台１Ｂの上部室空間４Ｂへ伝達され、開口１８Ｂから外へ放射される。さらに、中央の調理台１Ｄの音声発生器２０Ｂ，２０Ｂで発生させた音響は、隣接する流し台１Ａ及び加熱調理機１Ｃそれぞれの底部室１４，１４Ｃへ伝達され、開口１８から外へ放射される。従って、音源（音声発生器２０Ａ，２０Ｂ）から開口１８，１８Ａ，１８Ｂまでの音道距離が長くなり、エンクロージャ容積も拡大するため、大音量再生に適しており、低音成分を増強させた音響発生が可能となる。
【００４９】
なお本実施形態では、流し台１Ａ及び加熱調理機１Ｃに取り付けた音声発生器２０Ａを中高音用、調理台１Ｄに取り付けた音声発生器２０Ｂ，２０Ｂを低音用とすると共に、左チャンネル・右チャンネルに振り分けた音響をそれぞれを流し台１Ａの音声発生器２０Ａ及び加熱調理機１Ｃの音声発生器２０Ａから再生させることにより、優れた音質を容易に得られる。
【図面の簡単な説明】
【００５０】
【図１】本発明の第１の実施形態に関するものであって、図（Ａ）はキッチン設備の一部切り欠いた正面図、図（Ｂ）は図（Ａ）におけるａ−ａ線で断面した側面図である。
【図２】本発明に利用する音声発生器の一例を示すものであって、図（Ａ）は右側半分を断面した平面図、図（Ｂ）は背面図である。
【図３】本発明の第２の実施形態に関するものであって、図（Ａ）は３つのキッチンユニットを分離して示す正面図、図（Ｂ）は３つのキッチンユニットから成るキッチン設備の一部切り欠いた正面図、図（Ｃ）は図（Ｂ）におけるｂ−ｂ線で断面した平面図である。
【図４】本発明の第２の実施形態に関するものであって、図（Ａ）は図３（Ｂ）におけるｃ−ｃ線で断面した流し台の側面図、図（Ｂ）は図３（Ｂ）におけるｄ−ｄ線で断面した食洗機付き調理台の側面図、図（Ｃ）は図３（Ｂ）におけるｅ−ｅ線で断面した加熱調理機の側面図である。
【図５】本発明の第３の実施形態に関するものであって、図（Ａ）は３つのキッチンユニットを分離して示す正面図、図（Ｂ）は３つのキッチンユニットから成るキッチン設備の一部切り欠いた正面図、図（Ｃ）は図（Ｂ）におけるｆ−ｆ線で断面した平面図である。
【図６】本発明の第３の実施形態に関するものであって、図（Ａ）は図５（Ｂ）におけるｇ−ｇ線で断面した流し台の側面図、図（Ｂ）は図５（Ｂ）におけるｈ−ｈ線で断面した調理台の側面図、図（Ｃ）は図５（Ｂ）におけるｉ−ｉ線で断面した加熱調理機の側面図である。
【符号の説明】
【００５１】
Ｋ…キッチン設備  １，１Ａ…流し台  １Ｂ…食洗機付き調理台  １Ｃ…加熱調理機  １Ｄ…調理台  ４，４Ａ，４Ｂ…収納室  ７…背板  ８…仕切り部材  １０…底板  １１…蓋部材  １２…配管収納室  １２Ａ，１２Ｂ…室空間  １３…開口  １４，１４Ａ，１４Ｂ，１４Ｃ…底部室  １５…蹴込み板  １６…ダクト  １７…扉  １８…開口  １９…分割材  ２０…音声発生器
【図１】
2006129930.tif 000003
【図２】
2006129930.tif 000004
【図３】
2006129930.tif 000005
【図４】
2006129930.tif 000006
【図５】
2006129930.tif 000007
【図６】
2006129930.tif 000008